(57)【特許請求の範囲】
【請求項１】
保持手段に保持された記録媒体を収納する開閉可能な収納部と、該収納部に収納された記録媒体を前記保持手段と共に破壊可能な破壊手段とを備えた金庫において、
前記収納部に対する不正なアクセスを検知する盗難検知手段と、前記破壊手段を駆動する駆動手段とをさらに備え、前記盗難検知手段は、前記収納部に対する不正なアクセスを検知すると、前記駆動手段を動作させて前記収納部に収納された記録媒体を前記保持手段と共に前記破壊手段で破壊させることを特徴とする金庫。
【請求項２】
前記破壊手段は前記記録媒体を前記保持手段と共に破断するシュレッダーからなることを特徴とする請求項１記載の金庫。
【請求項３】
前記保持手段は前記記録媒体の保持部を長手方向に沿って複数有してなると共に、前記保持部の長手方向両側で折り返され蛇腹状とされて前記収納部に納められることを特徴とする請求項１または２記載の金庫。
【請求項４】
前記収納部は前記保持手段を前記破壊手段に導く誘導部を備え、前記保持手段は端部が前記誘導部に配置されることを特徴とする請求項１〜３のいずれか１項に記載の金庫。
【請求項５】
前記誘導部は、前記収納部と破壊手段とを連通させる連通部と、該連通部に向かう前記保持手段を支持する支持部とを有してなることを特徴とする請求項４記載の金庫。
【請求項６】
前記収納部を施錠するロック手段をさらに備え、前記盗難検知手段は前記ロック手段の異常を検知すると、前記収納部に対する不正なアクセスと判断することを特徴とする請求項１〜５のいずれか１項に記載の金庫。
【請求項７】
前記ロック手段は暗証番号の入力部を備え、該入力部で所定回数以上、誤入力されると、前記盗難検知手段は前記ロック手段の異常と判断することを特徴とする請求項６記載の金庫。
【請求項８】
傾斜角度を検知する水平検知部をさらに備え、該水平検知部が所定以上の傾斜を検知すると、前記盗難検知手段は前記収納部に対する不正なアクセスと判断することを特徴とする請求項１〜５のいずれか１項に記載の金庫。
【請求項９】
外部からの給電を受ける給電部と、該給電部からの給電により充電される蓄電部とをさらに備え、該蓄電部の残量が所定以下となると、前記盗難検知手段は前記収納部に対する不正なアクセスと判断することを特徴とする請求項１〜５のいずれか１項に記載の金庫。
【発明の詳細な説明】
【技術分野】
【０００１】
本発明は、記録媒体を保管する金庫に関し、特に盗難を検知した場合には破壊手段で記録媒体を破壊する金庫に関する。
【背景技術】
【０００２】
ＣＤやＤＶＤ、フラッシュメモリ、フィルム、カード等の記録媒体には、貴重な情報を記録することがあり、かかる貴重な情報を記録した記録媒体を保管する金庫が望まれている。通常、金庫は現金や有価証券、通帳などの紙類を保管することが想定されているが、記録媒体は軽量・薄型であるものが多いから、紙類と同様、通常の金庫にも保管することもできる。【０００３】
紙幣などを保管する通常の金庫において、盗難が発生した場合に、収納する紙幣等にインクを噴射し、収納物を使用不能とすることで、盗難を防止しようとするものが知られている。このような金庫としては、例えば特許文献１に挙げるようなものがある。
【先行技術文献】
【特許文献】
【０００４】
【特許文献１】特開２００６−３３８２１８号公報
【発明の概要】
【発明が解決しようとする課題】
【０００５】
従来の金庫は、あくまで紙幣等の紙類を保管することが想定されており、盗難防止に際しても、インクを噴射するという手段で収納物を使用不能としていた。しかし、記録媒体においては、インクを噴射するだけでは、必ずしも使用不能とすることができない場合もあり、記録媒体に記憶されている情報を完全に滅失したとは言えないから、盗難に対する対策としては不十分であった。【０００６】
本発明は前記課題を鑑みてなされたものであり、記録媒体について盗難時には確実に記録した情報を滅失させることのできる金庫を提供することを目的とする。
【課題を解決するための手段】
【０００７】
前記課題を解決するため、本発明に係る金庫は、保持手段に保持された記録媒体を収納する開閉可能な収納部と、該収納部に収納された記録媒体を前記保持手段と共に破壊可能な破壊手段とを備えた金庫において、
前記収納部に対する不正なアクセスを検知する盗難検知手段と、前記破壊手段を駆動する駆動手段とをさらに備え、前記盗難検知手段は、前記収納部に対する不正なアクセスを検知すると、前記駆動手段を動作させて前記収納部に収納された記録媒体を前記保持手段と共に前記破壊手段で破壊させることを特徴として構成されている。【０００８】
また、本発明に係る金庫は、前記破壊手段は前記記録媒体を前記保持手段と共に破断するシュレッダーからなることを特徴として構成されている。【０００９】
さらに、本発明に係る金庫は、前記保持手段は前記記録媒体の保持部を長手方向に沿って複数有してなると共に、前記保持部の長手方向両側で折り返され蛇腹状とされて前記収納部に納められることを特徴として構成されている。【００１０】
さらにまた、本発明に係る金庫は、前記収納部は前記保持手段を前記破壊手段に導く誘導部を備え、前記保持手段は端部が前記誘導部に配置されることを特徴として構成されている。【００１１】
そして、本発明に係る金庫は、前記誘導部は、前記収納部と破壊手段とを連通させる連通部と、該連通部に向かう前記保持手段を支持する支持部とを有してなることを特徴として構成されている。【００１２】
また、本発明に係る金庫は、前記収納部を施錠するロック手段をさらに備え、前記盗難検知手段は前記ロック手段の異常を検知すると、前記収納部に対する不正なアクセスと判断することを特徴として構成されている。【００１３】
さらに、本発明に係る金庫は、前記ロック手段は暗証番号の入力部を備え、該入力部で所定回数以上、誤入力されると、前記盗難検知手段は前記ロック手段の異常と判断することを特徴として構成されている。【００１４】
さらにまた、本発明に係る金庫は、傾斜角度を検知する水平検知部をさらに備え、該水平検知部が所定以上の傾斜を検知すると、前記盗難検知手段は前記収納部に対する不正なアクセスと判断することを特徴として構成されている。【００１５】
そして、本発明に係る金庫は、外部からの給電を受ける給電部と、該給電部からの給電により充電される蓄電部とをさらに備え、該蓄電部の残量が所定以下となると、前記盗難検知手段は前記収納部に対する不正なアクセスと判断することを特徴として構成されている。
【発明の効果】
【００１６】
本発明に係る金庫によれば、収納部に対する不正なアクセスを検知する盗難検知手段を備え、盗難検知手段は、収納部に対する不正なアクセスを検知すると、駆動手段を動作させて収納部に収納された記録媒体を保持手段と共に破壊手段で破壊させることにより、記録媒体を物理的に破壊することにより、盗難発生時に記録媒体に記憶された情報を確実に滅失させ、情報の盗難を防止することができる。【００１７】
また、本発明に係る金庫によれば、破壊手段は記録媒体を保持手段と共に破断するシュレッダーからなることにより、簡易な手段で確実に記録媒体を破壊することができる。【００１８】
さらに、本発明に係る金庫によれば、保持手段は記録媒体の保持部を長手方向に沿って複数有してなると共に、保持部の長手方向両側で折り返され蛇腹状とされて収納部に納められることにより、保持手段で記録媒体を効率よく収納でき、また、連続的かつ効率的に記録媒体を破壊することができる。【００１９】
さらにまた、本発明に係る金庫によれば、収納部は保持手段を破壊手段に導く誘導部を備え、保持手段は端部が誘導部に配置されることにより、盗難を検知した際には、即座に記録媒体の破壊を開始することができる。【００２０】
そして、本発明に係る金庫によれば、誘導部は、収納部と破壊手段とを連通させる連通部と、連通部に向かう保持手段を支持する支持部とを有してなることにより、記録媒体を保持した保持手段を、円滑に破壊手段に導くことができる。【００２１】
また、本発明に係る金庫によれば、収納部を施錠するロック手段をさらに備え、盗難検知手段はロック手段の異常を検知すると、収納部に対する不正なアクセスと判断することにより、収納部を不正に開放するには、ロック手段を破壊等しなければならないので、盗難を確実に検知することができる。【００２２】
さらに、本発明に係る金庫によれば、ロック手段は暗証番号の入力部を備え、入力部で所定回数以上、誤入力されると、盗難検知手段はロック手段の異常と判断することにより、ロック手段の物理的な破壊がなくても、盗難を確実に検知することができる。【００２３】
さらにまた、本発明に係る金庫によれば、傾斜角度を検知する水平検知部をさらに備え、水平検知部が所定以上の傾斜を検知すると、盗難検知手段は収納部に対する不正なアクセスと判断することにより、金庫そのものを運び出そうとすることを検知して、より確実に盗難を検知することができる。【００２４】
そして、本発明に係る金庫によれば、外部からの給電を受ける給電部と、給電部からの給電により充電される蓄電部とをさらに備え、蓄電部の残量が所定以下となると、盗難検知手段は収納部に対する不正なアクセスと判断することにより、金庫を運び出すことを検知して、より確実に盗難を検知することができる。
【図面の簡単な説明】
【００２５】
【図１】本実施形態における金庫の正面図である。
【図２】金庫の平面図である。
【図３】金庫の内部構造を表した概略断面図である。
【図４】蓋部を開けた状態の金庫の斜視図である。
【図５】入力部をスマートフォンで構成した金庫の斜視図である。
【発明を実施するための形態】
【００２６】
本発明の実施形態について図面に沿って詳細に説明する。図１には、本実施形態における金庫１の正面図を示している。本実施形態の金庫１は、箱状の本体部２に蓋部３がヒンジ部３ａを介して開閉自在に設けられてなり、本体部２からは外部電源に接続される給電コード４が伸びている。蓋部３は、本体部２に対してロック・アンロックすることができ、蓋部３を本体部２にロックしておくことで、金庫１内部の収納物を取り出せないようにすることができる。蓋部３の上面には、把手部６が設けられており、蓋部３のロックが解除された状態で把手部６を持ち上げることで、蓋部３を開くことができる。
【００２７】
図２には、金庫１の平面図を示している。この図に示すように、蓋部３には、ロックを解除するための暗証番号を入力する入力部５が設けられている。入力部５で予め設定された正規の暗証番号を入力することにより、蓋部３のロックが解除され、蓋部３を開くことができるので、金庫１内部の収納物を取り出すことができる。
【００２８】
図３には、金庫１の内部構造を表した概略断面図を示している。金庫１の本体部２には、上部に設けられ蓋部３によって開閉自在な中空状の収納部１０が設けられ、収納部１０には保持手段３０によって保持された記録媒体が収納される。本実施形態では、収納対象となる記録媒体は、ＣＤを想定している。ただし、記録媒体としてはＣＤに限られず、ＤＶＤなど他の光学記録媒体、メモリカード、磁気カード、マイクロフィルムなど、情報記録手段としての記録媒体であれば、他のものであってもよい。
【００２９】
金庫１のうち収納部１０より下部は、底面部１１によって区切られている。底面部１１より下部には、保持手段３０に保持された記録媒体を裁断し、破壊することのできる破壊手段１２と、破壊手段１２を駆動する駆動手段１３と、金庫１の傾斜状態を検知することのできる水平検知部１４と、金庫１内の電気的な動作に対して電源を供給する蓄電部１５とが備えられている。蓄電部１５は、給電コード４に接続されており、外部電源から充電される。
【００３０】
蓋部３の開放先端部には、ロック部３ｂが形成され、本体部２の対応する位置には、ロック部３ｂが係合自在な被ロック部２ａが形成されている。蓋部３のロック部３ｂは、蓋部３が閉じた状態で本体部２の被ロック部２ａに係合すると共に、力が加わっても係合状態が維持されるようにロックされる。このロックは、前述のように、入力部５で正規の暗証番号が入力された場合にのみ、解除される。また、ロック部３ｂには、被ロック部２ａに対する係合状態を検知するロック検知センサー（図示しない）が設けられており、蓋部３が閉まっているか否かを検知できるようになっている。
【００３１】
破壊手段１２は、近接対向するカッター部２５間に挿通される物を裁断するシュレッダーとして構成されている。本実施形態では、図３に示すように二組の近接対向するカッター部２５が上下に設けられており、これらはいずれもモーターからなる駆動手段１３によって回転し、保持手段３０に保持された記録媒体を裁断する。破壊手段１２の下部には、裁断された破砕物を貯蔵する破砕物受け部２６が設けられている。
【００３２】
保持手段３０の構成につき、詳細に説明する。図４には、蓋部３を開けた状態の金庫１の斜視図を示している。保持手段３０は、記録媒体４０を保持する保持部３１を、長手方向に沿って多数有し、各保持部３１の長手方向両側で折り返され、全体として蛇腹状をなすように形成される。各保持部３１は、ポケット状とされて１枚ずつ記録媒体４０が収納される。保持手段３０は、表面側が透明あるいは半透明の樹脂材で、裏面側が不織布で形成され、これらが貼り合わされて複数の保持部３１を形成している。ただし、保持手段３０の材質はこれに限られない。
【００３３】
保持手段３０が、各保持部３１を長手方向に多数有しつつ、蛇腹状に折り返されていることにより、多数の記録媒体４０を収納しつつ、記録媒体４０を一連の帯状の部材にまとめておくことができるため、破壊手段１２での裁断を連続的に行うことができる。
【００３４】
図３及び図４に示されているように、金庫１内において収納部１０と下部とを区切る底面部１１には、スリット状の連通部２１が形成され、記録媒体４０を保持した保持手段３０の端部が、破壊手段１２を構成するカッター部２５にかかった状態となっている。また、収納部１０内には、保持手段３０の端部付近を支持する支持部２２が形成されている。これら連通部２１と支持部２２により、保持手段３０を破壊手段１２に円滑に導く誘導部２０を構成している。金庫１において、収納部１０に対する不正なアクセスを検知した場合には、誘導部２０により破壊手段１２に導かれる記録媒体４０を収納した保持手段３０が、即座に裁断開始できるようになっている。
【００３５】
金庫１において、収納部１０内に対する不正なアクセスを検知する手段としては、複数の手段が考えられる。金庫１内には、盗難検知手段（図示しない）が設けられ、この盗難検知手段において、複数の状態を監視しており、収納部１０内に対する不正なアクセスの有無を判断する。監視している複数の状態のうちいずれかの状態の変化によって、盗難により収納部１０内に対し不正なアクセスが発生していると判断される場合には、盗難検知手段は破壊手段１２による記録媒体４０の裁断を図る。
【００３６】
前述のように、金庫１内には水平検知部１４が設けられている。水平検知部１４からは、盗難検知手段に対し、金庫１の傾斜状態の情報が送信される。水平検知部１４において、金庫１が所定角度以上、傾斜していることが検出されると、盗難検知手段は、盗難により収納部１０内に対し不正なアクセスが発生しているものと判断し、駆動手段１３を駆動させて、破壊手段１２により記録媒体４０を保持した保持手段３０を裁断させる。
【００３７】
また、盗難検知手段は、蓄電部１５の残量を監視している。通常の状態では、給電コード４が外部電源に接続されており、蓄電部１５はほぼ満充電の状態を維持しているが、盗難が発生すると、給電コード４が外部電源から外されるので、蓄電部１５の残量が低下していく。盗難検知手段は、蓄電部１５が所定以下の残量となった場合には、盗難により収納部１０内に対し不正なアクセスが発生しているものと判断し、駆動手段１３を駆動させて、破壊手段１２により記録媒体４０を保持した保持手段３０を裁断させる。
【００３８】
盗難検知手段では、蓋部３のロック部３ｂに設けられたロック検知センサーも監視している。入力部５での正規の暗証番号入力による場合以外に、ロック部３ｂのロック状態が解除されたことを、ロック検知センサーが検知した場合、盗難検知手段は、盗難により収納部１０内に対し不正なアクセスが発生しているものと判断し、駆動手段１３を駆動させて、破壊手段１２により記録媒体４０を保持した保持手段３０を裁断させる。
【００３９】
また、盗難検知手段は、入力部５による暗証番号の入力を監視している。入力部５で所定回数以上、正規の暗証番号入力が入力されず、誤入力された場合には、盗難検知手段は、盗難により収納部１０内に対し不正なアクセスが発生しているものと判断し、駆動手段１３を駆動させて、破壊手段１２により記録媒体４０を保持した保持手段３０を裁断させる。
【００４０】
このように、盗難検知手段で複数の状態を監視し、いずれかの状態が収納部１０内に対する不正なアクセスを示すものであれば、駆動手段１３に破壊手段１２を駆動させて、記録媒体４０を保持した保持手段３０を裁断、破壊するようにしたので、盗難を確実に検知し、盗難発生の場合には記録媒体４０を破壊して記録された情報を確実に消去することができる。これにより、金庫１に保管した情報が盗まれることを確実に防止することができる。
【００４１】
本実施形態では、入力部５を金庫１の蓋部３に設け、入力部５から暗証番号を入力するようにしている。これに対し、入力部５の機能をスマートフォンに持たせて、より防犯性を高めた金庫とすることもできる。図５には、入力部５をスマートフォンで構成した金庫１の斜視図を示している。
【００４２】
図５において、金庫１の蓋部３には、スマートフォン５０を納めることのできる凹部１６が形成され、凹部１６の下面には、スマートフォン５０の接続端子と接続可能な接続部１７が形成されている。スマートフォン５０は、下部に接続端子を備え、接続部１７を挿入して接続することで、蓋部３の凹部１６内に取付可能となっている。
【００４３】
スマートフォン５０には、予め入力部５として機能するためのアプリがインストールされている。このアプリを起動することで、タッチパネルで構成された画面５１には、入力用アイコン５２が表示され、タッチすることにより入力を行うことができる。
【００４４】
スマートフォン５０には、固有の識別符号が割り当てられており、アプリをインストールした使用者のスマートフォン５０に割り当てられている固有の識別符号を、予め金庫１に記憶させておく。スマートフォン５０を接続部１７に接続すると、アプリはスマートフォン５０に割り当てられている固有の識別符号を金庫１に送信し、金庫１は、記憶している識別符号と一致するか否かを判別する。識別符号が一致した場合であって、スマートフォン５０から正規の暗証番号が入力された場合にのみ、金庫１は蓋部３のロック状態を解除、あるいは蓋部３をロックする。
【００４５】
これにより、使用者のスマートフォン５０以外のスマートフォンを接続して、正規の暗証番号を入力しても、識別符号が一致しなければロック・アンロックは行われないから、仮に暗証番号が漏洩しても、使用者のスマートフォン５０を有していない他人が金庫１を開けることはできないから、より高い安全性を有する金庫１とすることができる。
【００４６】
以上、本発明の実施形態について説明したが、本発明の適用は本実施形態には限られず、その技術的思想の範囲内において様々に適用されうるものである。例えば、破壊手段１２はシュレッダーには限られず、記録媒体４０を保持手段３０と共に物理的に破壊できるものであればよい。また、盗難検知の方法としても、他の手段を用いてもよい。
【符号の説明】
【００４７】
１    金庫
２    本体部
３    蓋部
４    給電コード
５    入力部
６    把手部
１０    収納部
１１    底面部
１２    破壊手段
１３    駆動手段
１４    水平検知部
１５    蓄電部
２０    誘導部
２１    連通部
２２    支持部
２５    カッター部
２６    破砕物受け部
３０    保持手段
３１    保持部
３２    折り返し部
４０    記録媒体
【図１】
0005992999.tif 000002
【図２】
0005992999.tif 000003
【図３】
0005992999.tif 000004
【図４】
0005992999.tif 000005
【図５】
0005992999.tif 000006